(57)【要約】      （修正有）【課題】開放された環境下においても大衆に不快感を抱かせることなく装身具の盗難を抑止することが可能な展示装置を提供する。【解決手段】展示台２に設けられた開口部６に指輪の環状体部分を挿入し、この環状体部分を展示台２の内部に配備されたシャフト７によって固定することで顧客の気分を害さずに盗難を防止する。また、シャフト７を解放位置に移動させるリンケージ手段８を作動させるために必要とされる押圧力印加部材９を展示台２から着脱できる構成とすることにより、部外者が容易に展示台２から指輪４を取り外せなくして盗難防止効果を高める。【選択図】図２
0003113115.tif 000002
【実用新案登録請求の範囲】
【請求項１】
開放された環境下で装身具を展示するための展示装置であって、
装身具に設けられた環状体部分を該環状体部分の径方向外側から挿入するための開口部を有する展示台と、
前記展示台の内部に配備され、前記開口部に挿入された環状体部分から先端を退避させる解放位置と前記環状体部分の内部領域に突入する係止位置との間で移動可能な環状体係止部材と、
前記環状体係止部材を前記解放位置と前記係止位置との間で往復移動させるためのリンケージ手段と、
前記リンケージ手段を作動させるための手動操作部とを備え、
前記手動操作部が、前記展示台から着脱可能に構成されていることを特徴とする展示装置。
【請求項２】
前記環状体係止部材が、
前記開口部に挿入された環状体部分から先端を退避させる解放位置と前記環状体部分の内部領域を貫通する係止位置との間で直動するシャフトによって構成され、
前記リンケージ手段は、
前記シャフトを押圧して該シャフトの先端を前記解放位置から前記係止位置に向かわせる方向に移動させる可撓性の押圧力伝達部材と、
前記シャフトの先端が前記係止位置から前記解放位置に向けて移動する方向に前記シャフトを付勢するためのリターンスプリングと、
前記押圧力伝達部材と前記手動操作部との間に位置し、前記手動操作部に対する直動操作を受ける度に、前記シャフトの先端が前記係止位置に位置する状態または前記シャフトの先端が前記解放位置に位置する状態の何れか一方の位置に循環的に位置を変えて前記押圧力伝達部材の端部を支えるロック機構とを有し、
前記手動操作部は、
前記ロック機構を介して前記押圧力伝達部材の端部を押圧する押圧力印加部材によって構成されていることを特徴とする請求項１記載の展示装置。
【請求項３】
前記展示台が指輪の飾り台からなる請求項１または請求項２記載の展示装置。
【請求項４】
前記展示台がトルソーからなる請求項１または請求項２記載の展示装置。
【考案の詳細な説明】
【技術分野】
【０００１】
本考案は、開放された環境下で装身具を展示するための展示装置に関し、より具体的には、展示台として機能する指輪の飾り台やトルソー等を開放された環境下に設置した際に生じる恐れのある盗難事故の発生を抑止するための改良に関する。
【背景技術】
【０００２】
宝石，貴金属，宝飾品等の装身具を展示するための展示装置としては、例えば、指輪を展示するための飾り台やネックレスあるいはペンダントを展示するためのトルソー等が周知である。
【０００３】
宝石，貴金属，宝飾品等の装身具を取り付けた飾り台やトルソーは、それ自体が防犯機能を有するものではないので、ショー・ウインドウやガラス・ケース等に納めて展示することが望ましいが、展示会場によってはショー・ウインドウやガラス・ケース等の持ち込みが困難な場合もあり、飾り台やトルソー等の展示台を其のままテーブル上に載置しなければならないような状況が生じることも多い。
【０００４】
開放された環境下で高額の装身具を展示するような場合、純粋に防犯上の観点からすれば、警備員の増強といったことが望ましいが、制服の警備員を過剰に配置すると大衆に威圧感を与えるといった問題がある。また、私服の警備員を配置した場合には威圧感は生じないが、警備員には取り調べの権限等はないので、仮に警備員が盗難の現場を目撃したとしても、その後の対処に苦慮することになり兼ねず、場合によっては、警備員の職権の範囲内の警告動作等で展示会場の雰囲気が損なわれるといった弊害も生じる。また、別の観点からすれば、警備員や監視員の配置によって経費が増長するといった問題もある。
【０００５】
一方、展示物，販売品，デモ製品等の盗難を抑止するための一般的な技術としては、物品の持ち出し自体を阻止するために物品をワイヤー等でテーブルに固定する方法や、特許文献１，２に見られるように、物品の持ち出しを警告するＩＣ内蔵型の盗難防止タグを物品自体に取り付けるもの等が公知である。
【０００６】
しかしながら、ワイヤー等による固定では展示会場の美観を損ねる弊害があり、また、ＩＣ内蔵型の盗難防止タグが小型化されているとはいえ、宝石，貴金属，宝飾品等の小型の物品に此れを取り付けたのでは、物品の鑑賞の妨げとなり兼ねない。
【０００７】
更に、ワイヤーや盗難防止タグの取り付けは、盗難事件の発生を前提とした対応策であり、このような明ら様な対応策では、善良な客の反感を買って商取引上の障害が生じるといった可能性もあり得る。
【０００８】
【特許文献１】特開平８−６９５８１号公報
【特許文献２】特開２００１−２９７３８１号公報
【考案の開示】
【考案が解決しようとする課題】
【０００９】
そこで、本考案の目的は、前記従来技術の不都合を改善し、開放された環境下においても大衆に不快感を抱かせることなく装身具の盗難を抑止することが可能な展示装置を提供することにある。
【課題を解決するための手段】
【００１０】
本考案は、開放された環境下で装身具を展示するための展示装置であり、前記課題を解決するため、特に、
装身具に設けられた環状体部分を該環状体部分の径方向外側から挿入するための開口部を有する展示台と、
前記展示台の内部に配備され、前記開口部に挿入された環状体部分から先端を退避させる解放位置と前記環状体部分の内部領域に突入する係止位置との間で移動可能な環状体係止部材と、
前記環状体係止部材を前記解放位置と前記係止位置との間で往復移動させるためのリンケージ手段と、
前記リンケージ手段を作動させるための手動操作部とを備え、
前記手動操作部が、前記展示台から着脱可能に構成されていることを特徴とする構成を有する。
【００１１】
以上の構成において、装身具を展示する際には、まず、環状体係止部材が解放位置にあるか否かを確認し、環状体係止部材が解放位置にあれば其の状態を維持したまま、また、環状体係止部材が係止位置にある場合には、展示台に装着された手動操作部を操作してリンケージ手段を作動させることにより環状体係止部材の先端を解放位置に退避させてから、装身具に設けられた環状体部分を展示台の開口部に径方向外側から挿入する。
次いで、手動操作部を操作してリンケージ手段を作動させ、環状体係止部材を係止位置に移動させて、展示台から手動操作部を取り外す。
このようにして展示台の内部に配備された環状体係止部材を装身具の環状体部分の内部領域に突入させることによって装身具が展示台に固定される。また、環状体係止部材を解放位置に移動させるリンケージ手段を作動させるために必要とされる手動操作部を展示台から取り外すことにより、環状体係止部材を解放位置に移動させて展示台の開口部から装身具を取り外すことは困難となり、盗難事故の発生が抑止される。
つまり、このような状況下において装身具を持ち去ろうとすれば、装身具を展示台と共に持ち去るか、あるいは、展示台を破壊して装身具のみを持ち去る必要に迫られることになるが、何れの行為も著しく人目を引く行為であり、また、装身具を展示台に固定する環状体係止部材の存在については外側からは認識不能であって、装身具に不当な目的で手を掛けた者は、その行為に及んだ時点で初めて装身具が展示台に固定されていることに気付くことになるので、予想外の現象に直面して犯意を砕かれる可能性が高く、犯行の自粛へとつながる。
また、装身具を展示台に固定する環状体係止部材の存在が外部から認識不能であることから、盗難防止のための付加装置が展示会場の美観を損ねたり善良な客の反感や不快感を買うといった問題が解消され、同時に、威圧を目的とした警備員の配置も控えることができるため、展示会等の運営経費も削減され得る。
【００１２】
より具体的には、環状体係止部材は、展示台の開口部に挿入された環状体部分から先端を退避させる解放位置と前記環状体部分の内部領域を貫通する係止位置との間で直動するシャフトによって構成することが望ましく、
また、リンケージ手段は、
前記シャフトを押圧して該シャフトの先端を前記解放位置から前記係止位置に向かわせる方向に移動させる可撓性の押圧力伝達部材と、
前記シャフトの先端が前記係止位置から前記解放位置に向けて移動する方向に前記シャフトを付勢するためのリターンスプリングと、
前記押圧力伝達部材と前記手動操作部との間に位置し、前記手動操作部に対する直動操作を受ける度に、前記シャフトの先端が前記係止位置に位置する状態または前記シャフトの先端が前記解放位置に位置する状態の何れか一方の位置に循環的に位置を変えて前記押圧力伝達部材の端部を支えるロック機構とで構成することができ、
また、前記手動操作部は、前記ロック機構を介して前記押圧力伝達部材の端部を押圧する押圧力印加部材によって構成することができる。
【００１３】
このような構成を適用した場合、環状体係止部材として機能するシャフトが係止位置に移動すると、シャフトの両端部が環状体部分の内部領域を完全に貫通して其の両端に突出する状態となるので、環状体部分を開口部から強制的に引き抜こうとした際にシャフトの両端部と開口部の周囲との間に引っ掛かりが生じることになり、この干渉によって、装身具の抜き取りが一層困難となる。
また、環状体係止部材として機能するシャフトを解放位置と係止位置との間で往復移動させるためのリンケージ手段の主要部は可撓性の押圧力伝達部材によって構成されているので、展示台の形状に応じてリンケージ手段を自由に這い回すことができ、様々な形状の展示台に対処することが可能となる。
そして、このリンケージ手段には、シャフトの先端を解放位置に向けて付勢するためのリターンスプリングと、シャフトの先端が係止位置に位置する状態または解放位置に位置する状態の何れか一方の位置で押圧力伝達部材の端部を支えるロック機構とが設けられているので、係止位置および解放位置の何れにおいてもシャフトを確実に保持することができ、外部から加えられる振動や衝撃によって環状体係止部材が不用意に移動して展示台の開口部から装身具が脱落するといった事故が未然に防止される。
更に、リンケージ手段を作動させるための手動操作部は、ロック機構を介して押圧力伝達部材の端部を押圧する押圧力印加部材によって構成され、この押圧力印加部材に与えられる直動操作によって、環状体係止部材として機能するシャフトの位置変化、および、各位置で押圧力伝達部材を介してシャフトを支えるロック機構の固定操作がサイクリックに繰り返されるので、展示台への装身具の取り付け取り外し操作をワンプッシュで簡単に行うことができ、特に、装身具の販売目的で展示装置を使用する場合において、販売員の負担が軽減され、作業時間の短縮によって販売効率の向上も実現され得る。
しかも、手動操作部として機能する押圧力印加部材がロック機構の操作手段としての機能も兼ね備えているため、この押圧力印加部材を取り外すことでロック機構の操作自体が困難となり、より確実に装身具の抜き取りを防止することができる。
【００１４】
展示装置の構成要素となる展示台としては、具体的に、例えば、指輪の飾り台やトルソー等を利用することができる。
特に、リンケージ手段の主要部を可撓性の押圧力伝達部材によって構成した場合では、展示台の形状に応じてリンケージ手段を自由に這い回すことができるため、その他にも様々な形状の展示台に対処することが可能である。
【００１５】
指輪の飾り台を展示台とした場合の環状体部分は指輪のリング部分であり、また、トルソーを展示台とした場合には、ネックレスやペンダントの主要部を構成する宝飾部とチェーン部分とを接続するリングを環状体部分として利用することが可能である。
【考案の効果】
【００１６】
本考案の展示装置は、展示台に設けられた開口部に装身具の環状体部分を挿入し、この環状体部分を展示台の内部に配備された環状体係止部材によって固定するようにしたので、装身具の抜き取りを防止する環状体係止部材の存在を外部から認識することは不可能であり、盗難防止のための付加装置が展示会場の美観を損ねたり善良な客の反感や不快感を買うといった問題が解消される。
また、環状体係止部材を解放位置に移動させるリンケージ手段を作動させるために必要とされる手動操作部を展示台から着脱できる構成としたので、部外者が環状体係止部材を解放位置に移動させて展示台の開口部から装身具を取り外すことは困難であり、ショー・ウインドウやガラス・ケース等のない開放された環境下においても盗難事故の発生を未然に防止することができるため、威圧を目的とした警備員の配置も控えることができ、展示会等の運営経費の削減も可能となった。
【００１７】
特に、展示台の開口部に挿入された環状体部分から先端を退避させる解放位置と環状体部分の内部領域を貫通する係止位置との間で直動するシャフトによって環状体係止部材を構成した場合においては、環状体部分を開口部から強制的に引き抜こうとした際に生じるシャフトの両端部と開口部の周囲との間の引っ掛かりによって装身具の不当な抜き取り操作を確実に防止することができる。
また、環状体係止部材として機能するシャフトを解放位置と係止位置との間で往復移動させるためのリンケージ手段の主要部を可撓性の押圧力伝達部材によって構成したので、展示台の形状に応じてリンケージ手段を自由に這い回すことができ、様々な形状の展示台に対処することができる。
更に、リンケージ手段を作動させるための手動操作部は、ロック機構を介して押圧力伝達部材の端部を押圧する押圧力印加部材によって構成し、この押圧力印加部材に与えられる直動操作によって、環状体係止部材として機能するシャフトの位置変化、および、各位置で押圧力伝達部材を介してシャフトを支えるロック機構の固定操作をサイクリックに繰り返し行えるようにしたので、展示台への装身具の取り付け取り外し操作をワンプッシュで簡単に行うことが可能となり、特に、装身具の販売目的で展示装置を使用する場合において、販売員の負担が軽減され、作業時間の短縮によって販売効率の向上も実現され得る。
しかも、手動操作部として機能する押圧力印加部材がロック機構の操作手段としての機能を兼ね備えているため、この押圧力印加部材を取り外すことでロック機構の操作自体が困難となり、より確実に装身具の抜き取りを防止することができる。
【考案を実施するための最良の形態】
【００１８】
本考案を実施するための最良の形態について図面を参照して詳細に説明する。
【００１９】
図１は本考案の展示装置を指輪の飾り台に適用した場合の一実施形態について示した外観図である。
【００２０】
展示装置１の展示台２は指輪の飾り台として機能し、傾斜面からなる天面３には、装身具の一種である指輪４に形成された環状体部分５を径方向外側から挿入するための開口部６が形成されている。
【００２１】
図２は同実施形態の展示装置１の内部構造の概略を示した側断面図である。
【００２２】
展示装置１の内部には、図２に示される通り、開口部６に挿入された指輪４の環状体部分５から先端を退避させる解放位置Ｘと環状体部分５の内部領域を貫通する係止位置Ｙとの間で直動する環状体係止部材として機能するシャフト７と、このシャフト７を解放位置Ｘと係止位置Ｙとの間で往復移動させるためのリンケージ手段８が設けられ、リンケージ手段８を作動させるための手動操作部として機能する押圧力印加部材９のみが、展示台２の背面板１０から外部に突出して、リンケージ手段８の基部１１に着脱可能に取り付けられている。
【００２３】
展示台２の背面板１０には球円弧状の窪み１２が形成され、その中央部にリンケージ手段８の基部１１を固着して押圧力印加部材９を外部に突出させる構成であるから、仮にリンケージ手段８の基部１１に押圧力印加部材９を取り付けたままの状態であったとしても、この展示装置１の背面を壁面等に密着させて設置したり、あるいは、多数の展示装置１を纏めて１つの箱に梱包する等のことが可能である。
【００２４】
次に、リンケージ手段８の構成について具体的に説明する。
【００２５】
図３はリンケージ手段８の先端部１３を分解して示した構造図である。
【００２６】
リンケージ手段８の主要部は、図３に示されるように、メッシュ状に編み込まれたワイヤー等で形成された可撓性の押圧力伝達部材１４と、この押圧力伝達部材１４を内嵌して其の移動経路を規制するための管状のシース１５によって構成される。シース１５の端部には口金１６が固設され、この口金１６を介して、先端に小孔１７を有する円筒状のエンドピース１８が螺合されるようになっている。
【００２７】
前述の環状体係止部材として機能するシャフト７は、図３に示されるようにして、可撓性の押圧力伝達部材１４の先端に固着されている。
【００２８】
また、エンドピース１８にはリターンスプリング１９が内嵌されており、押圧力伝達部材１４とシャフト７との間の固着部に形成された段差部、より具体的には、押圧力伝達部材１４の先端面の外周部寄りの位置がリターンスプリング１９の一端に当接し、実質的に押圧力伝達部材１４と一体化されたシャフト７を一方向に向けて付勢している。
その付勢方向は図３中でシャフト７を上方に移動させる向き、つまり、図２においてシャフト７の先端を係止位置Ｙから解放位置Ｘに向けて移動させる向きである。
【００２９】
そして、リンケージ手段８の先端部１３を構成するエンドピース１８は、展示台２における天面３の裏面側に一体成形されたＣ字状断面を有するマウントピース２０に圧入され、図２に示されるようにして天面３の裏面側に固着される。
【００３０】
また、この実施形態では開口部６に沿って裏面側に突出する周壁２１が天面３と一体に形成され、更に、周壁２１の下端部には、開口部６に挿入された指輪４の突出量を規制するための底面２２が設けられており、周壁２１の対向する２面、つまり、図２中の左右の周壁部分に、シャフト７の貫通を許容する小孔が穿設されている。
【００３１】
図４はリンケージ手段８の基部１１を分解して示した構造図である。
【００３２】
リンケージ手段８の基部１１は、概略において、円筒状のエンドピース２３と、その内側に螺合される円筒状のインサート２４、ならびに、本実施形態におけるロック機構の主要部として機能する回転子２５と、ロック機構の一部を構成するノック棒２６によって構成され、ノック棒２６の端部に押圧力印加部材９が着脱自在に取り付けられるようになっている。
【００３３】
回転子２５の詳細形状を図５に、ノック棒２６の詳細形状を図６に、また、インサート２４の内周面の形状を図７の断面図に示す。
【００３４】
回転子２５はロック機構の主要部を構成するもので、押圧力伝達部材１４の端部を支えるための端面２７を備える。また、回転子２５の外周には、図７に示されるようにしてインサート２４の内周面に交互に形成された深さの異なる２種のカム溝２８，２９のうち底の深い方のカム溝２８にのみ嵌合する突条３０が形成されると共に、回転子２５のもう一方の端面には、図６に示されるノック棒２６の先端に形成されたラチェット状のモジュール３１と凹凸嵌合するラチェット状のモジュール３２が形成されている。図６に示されるようにしてノック棒２６の先端外周部に形成された突条３３は、インサート２４の内周面に形成されたカム溝２８，２９の全てに嵌合してインサート２４に対するノック棒２６の回転を禁止し、ノック棒２６の直動のみを許容する。ノック棒２６の端部３４はキャップ状の押圧力印加部材９を外嵌するのに適した直径であり、また、この端部３４に外嵌された押圧力印加部材９がノック棒２６に過剰に突入することを防止するための拡径部３５が形成されている。
【００３５】
回転子２５，ノック棒２６，インサート２４は図４に示されるような方向性でエンドピース２３に内嵌して取り付けられ、最終的にノック棒２６の端部３４に押圧力印加部材９が取り付けられる。
【００３６】
このようにして組立が完了した状態でノック棒２６に装着された押圧力印加部材９を押圧操作すると、インサート２４に対してスプライン嵌合したノック棒２６が回転を伴わずに直動し、ノック棒２６の先端のモジュール３１が回転子２５のモジュール３２に当接し、リターンスプリング１９の付勢力に抗して押圧力伝達部材１４の端部を支えている回転子２５もろともに押圧力伝達部材１４を押し出しながら、回転子２５のモジュール３２がノック棒２６のモジュール３１と完全に嵌合する位置まで回転子２５を強制的に回転させる。
【００３７】
モジュール３２がモジュール３１と完全に嵌合する位置とは、要するに、回転子２５の突条３０が、インサート２４に形成された底の深いカム溝２８に位相を一致させる位置か、あるいは、回転子２５の突条３０が、インサート２４に形成された底の浅いカム溝２９に位相を一致させる位置かの何れかである。
前者の場合において押圧力印加部材９に対する押圧操作を解除すると、突条３０がカム溝２８に嵌合し、押圧力伝達部材１４を介して与えられるリターンスプリング１９の付勢力により、突条３０の端部が底の深いカム溝２８の端部近傍位置（図７中の２８Ｘの位置）に達するまで回転子２５が押し戻され、押圧力伝達部材１４の先端に固着されたシャフト７の先端が、図２中の解放位置Ｘに縮退する。
一方、後者の場合において押圧力印加部材９に対する押圧操作を解除すると、前記と同様に、押圧力伝達部材１４を介して与えられるリターンスプリング１９の付勢力によって回転子２５を押し戻そうとする力が働くが、この場合は回転子２５の突条３０の端部が底の浅いカム溝２９の先端位置（図７中の２９Ｙの位置）で支えられるので、回転子２５の後退は当該位置で停止し、押圧力伝達部材１４の先端に固着されたシャフト７の先端が、図２中の係止位置Ｙに保持される。
【００３８】
カム溝２８，２９間の突条の先端にはテーパ面３７が形成され、回転子２５がリターンスプリング１９の付勢力で押し戻される過程で回転子２５の突条３０の先端がテーパ面３７によりガイドされて僅かに其の回転位置を変化させるようになっているので、回転子２５が前述した何れかの後退限度にある状態では回転子２５のモジュール３２とノック棒２６のモジュール３１との間に僅かな位相のズレが生じることになる。従って、ノック棒２６に装着された押圧力印加部材９を１回操作する度に回転子２５が強制的に回転させられ、回転子２５の突条３０がカム溝２８に嵌合して回転子２５が後退する位置、つまり、シャフト７の先端が図２中の解放位置Ｘに縮退する位置と、回転子２５の突条３０の先端が底の浅いカム溝２９の先端位置で支えられて回転子２５の前進状態が保持される位置、つまり、シャフト７の先端が図２中の係止位置Ｙに保持される位置との間で、循環的に回転子２５の位置決めが行われることになる。
【００３９】
つまり、この回転子２５は、図４に示されるように、手動操作部として機能する押圧力印加部材９と押圧力伝達部材１４との間に位置し、手動操作部である押圧力印加部材９に対する直動操作を受けて、シャフト７の先端が係止位置Ｙに位置する状態すなわち回転子２５が前進した状態、または、シャフト７の先端が解放位置Ｘに位置する状態すなわち回転子２５が後退した状態の何れか一方の位置に循環的に位置を変えて押圧力伝達部材１４の端部を支えるロック機構である。
【００４０】
そして、押圧力伝達部材１４は、シャフト７を押圧してシャフト７の先端を解放位置Ｘから係止位置Ｙに向かわせる方向に移動させるための押圧力伝達部材であり、また、押圧力印加部材９は、ロック機構である回転子２５を介して押圧力伝達部材１４の端部を押圧する押圧力印加部材であって、解放位置Ｘから係止位置Ｙへのシャフト７の移動操作、または、係止位置Ｙから解放位置Ｘへのシャフト７の移動操作と、各位置における回転子２５を利用したロック操作は、押圧力印加部材９に対する押圧操作のみで達成されている。
【００４１】
リンケージ手段８の基部１１を構成するエンドピース２３は、展示台２の背面板１０に形成された球円弧状の窪み１２の中央部に穿設された孔に圧入され、図２に示されるようにして背面板１０の内側に取り付けられ、押圧力印加部材９のみが外部に突出することになる。
【００４２】
次に、本実施形態の展示装置１の利用方法について簡単に説明する。
【００４３】
指輪４を展示する際には、まず、展示台２の開口部６を見てシャフト７からなる環状体係止部材が図２の解放位置Ｘにあるのか係止位置Ｙにあるのかを確認する。
【００４４】
シャフト７が係止位置Ｙにあった場合は、展示台２の背面板１０から突出した手動操作部である押圧力印加部材９を１回だけ押圧操作し、リンケージ手段８を作動させることによってシャフト７の先端を係止位置Ｙから解放位置Ｘに移動させる。
【００４５】
リンケージ手段８の動作については既に説明した通りであり、この押圧力印加部材９に対する１回の押圧操作を受けて、インサート２４にスプライン嵌合したノック棒２６が回転を伴わずに直動し、ノック棒２６の先端のモジュール３１が回転子２５のモジュール３２に当接し、回転子２５のモジュール３２がノック棒２６のモジュール３１と完全に嵌合する位置まで回転子２５を強制的に回転させる。そして、押圧力印加部材９から手を放すと、回転子２５の突条３０がインサート２４のカム溝２８に嵌合し、押圧力伝達部材１４を介して与えられるリターンスプリング１９の付勢力により、突条３０の端部がカム溝２８の端部近傍位置（図７中の２８Ｘの位置）に達するまで回転子２５が押し戻され、押圧力伝達部材１４の先端に固着されたシャフト７の先端が図２中の解放位置Ｘにまで縮退し、この状態で、ロック機構の主要部を構成する回転子２５の端面２７が押圧力伝達部材１４の端部を支える。
【００４６】
このようにしてシャフト７の先端を解放位置Ｘに縮退させた状態で、指輪４を手に取り、指輪４の環状体部分５を展示台２の開口部６に径方向外側から挿入する。つまり、図１において指輪４の宝飾部を上にした状態で指輪４を把持し、この状態で環状体部分５を開口部６に突入させる。
【００４７】
これにより指輪４の宝飾部に対向する環状体部分５の外周部が図２に示される開口部６の底面２２に当接し、例えば、図１に示されるようにして、指輪４の宝飾部と環状体部分５の一部が外部に露出した適切な展示状態が実現される。
【００４８】
次いで、手動操作部である押圧力印加部材９を更に１回だけ押圧操作し、リンケージ手段８を作動させることによってシャフト７の先端を解放位置Ｘから係止位置Ｙに移動させ、開口部６に挿入された指輪４の環状体部分５を固定する。
【００４９】
リンケージ手段８の動作については既に説明した通りであり、この押圧力印加部材９に対する１回の押圧操作を受けて、インサート２４にスプライン嵌合したノック棒２６が回転を伴わずに再び直動し、ノック棒２６の先端のモジュール３１が回転子２５のモジュール３２に当接し、リターンスプリング１９の付勢力に抗して押圧力伝達部材１４の端部を支えている回転子２５もろともに押圧力伝達部材１４を押し出しながら、回転子２５のモジュール３２がノック棒２６のモジュール３１と完全に嵌合する次のピッチ位置まで回転子２５を強制的に回転させる。そして、押圧力印加部材９から手を放すと、回転子２５が僅かに押し戻され、回転子２５の突条３０の端部がインサート２４の底の浅いカム溝２９の先端位置（図７中の２９Ｙの位置）で支えられて回転子２５の後退が停止し、押圧力伝達部材１４の先端に固着されたシャフト７の先端が図２中の係止位置Ｙに保持される。
【００５０】
この状態で、環状体係止部材として機能するシャフト７は、指輪４における環状体部分５の内部領域を完全に貫通して其の両端に突出し、この突出した両端部が、図２に示されるように、開口部６の周囲で裏面側に突出する周壁２１の対向する２面に穿設された小孔により両端支持のかたちで保持される。
【００５１】
従って、環状体部分５を開口部６から強制的に引き抜こうとした際には環状体部分５を貫通したシャフト７の両端部と開口部６周囲の周壁２１に穿設された２つの小孔との間に強い引っ掛かりが生じ、この干渉によって、指輪４の抜き取りが確実に防止される。
【００５２】
最終的に、展示台２の裏面から手動操作部として機能する押圧力印加部材９を引き抜き、この展示装置１を、開放された環境下、例えば、展示会場のテーブル等の上に設置して指輪４を一般のギャラリーに向けて展示する。
【００５３】
押圧力印加部材９を引き抜いた状態では、ノック棒２６の全体がリンケージ手段８の基部１１つまりエンドピース２３およびインサート２４の内部に完全に隠れた状態となるので、ノック棒２６を操作して環状体係止部材であるシャフト７の先端を解放位置Ｘに移動させて展示台２の開口部６から指輪４を取り外すことは不可能とは言わないまでも困難となり、盗難事故の発生が抑止される。
【００５４】
しかも、指輪４を開口部６に装着した状態においては、環状体部分５を展示台２に固定するシャフト７の存在は外部からは認識不能であるので、盗難防止のための付加装置（盗難防止タグやワイヤー等に類するもの）が展示会場の美観を損ねるといった弊害は解消され、また、過剰な安全対策が善良な客の反感や不快感を買うといった問題も解消される。
【００５５】
また、威圧を目的とした警備員の配置も控えることができるため、展示会等の運営経費も削減され得る。
【００５６】
更に、リンケージ手段８を作動させるための手動操作部は、ロック機構を構成する回転子２５を介して押圧力伝達部材１４の端部を押圧する押圧力印加部材９によって構成され、この押圧力印加部材９に与えられる直動操作によって、環状体係止部材として機能するシャフト７の位置変化、および、解放位置Ｘと係止位置Ｙの各位置で押圧力伝達部材１４を介してシャフト７を支える回転子２５の固定操作がサイクリックに繰り返されるので、展示台２への指輪４の取り付け取り外し操作をワンプッシュで簡単に行うことができ、特に、指輪４の販売目的で展示装置１を使用する場合において、販売員の負担が軽減され、作業時間の短縮によって販売効率の向上も実現され得る。
【００５７】
手動操作部として機能する押圧力印加部材９はロック機構である回転子２５の操作手段としての機能も兼ね備えているため、この押圧力印加部材９を取り外すことでロック機構の操作自体が困難となり、確実に指輪４の抜き取りを防止することができる。
【００５８】
以上に述べた通り、この実施形態の展示装置１によって奏される効果は、物理的あるいは機構的に明らかな範囲では、押圧力印加部材９を所持しない部外者が展示台２に装着された指輪４を展示台２から取り外して奪取することが難しいこと、および、機構的に施された安全対策が外部から認識不能であることから、この安全対策が、顧客もしくは顧客となる可能性のあるギャラリーと主催者側との間の信頼関係に悪影響を及ぼして展示品である指輪４の購買意欲を減退させる心配がないといった点につきる。
【００５９】
つまり、論理的な側面からすれば、指輪４を展示台２もろともに持ち去ることや、展示台２を破壊し、もしくは、或る程度の時間を掛けて回転子２５やノック棒２６の構造を分析し、これらの構成要素をピン等で操作してロック機構を解除することまでを妨げるものではない。
【００６０】
しかしながら、精神作用を考慮した場合、窃盗犯等の一般的な心理として、人目につくことなく素早く其の行為を遂行して安全な領域に退避するといったことが前提としてあり、それ以上に強硬な姿勢で事に臨むといったことは、まず、考えられない。
前述した通り、指輪４を展示台２に固定するシャフト７の存在については外側からは認識不能であるから、指輪４に不当な目的で手を掛けた者は、その行為に及んだ時点で初めて指輪４が展示台２に固定されていることに気付くことになり、予想外の現象に直面して犯意を砕かれる可能性が高く、また、展示台２を含めて奪取するには人目が気になり、やはり、犯意を砕かれる可能性が高く、指輪４の不当な抜き取り行為は最後まで遂行されない公算が高い。
また、回転子２５やノック棒２６の構造を分析してロックを解除するにしても、そのためには展示装置１の構造に或る程度の探りを入れる必要があり、こういった怪しい行為は警備員によって容易に認知され得るので、その後、その人物を見張って事件の発生を未然に防止するといったことも可能である。
以上に述べた理由から、実用上、十分な盗難防止効果を達成することが可能である。
【００６１】
図８は本考案の展示装置をトルソーに適用した場合の一実施形態について示した外観図である。
【００６２】
ネックレスあるいはペンダント等を展示するためのトルソー３８を展示台とする場合においては、ネックレスやペンダント３９の主要部を構成する宝飾部４０とチェーン４１とを接続するリング４３を環状体部分として利用することになる。
【００６３】
つまり、トルソー３８の首に相当する部分にチェーン４１を掛けた際にリング４３が位置する部分の近傍に開口部４２を形成し、この開口部４２の裏面側に図２に示したエンドピース１８やシャフト７を配置して開口部４２にネックレスやペンダント３９のリング４３を固定するようにし、また、トルソー３８の裏面側に図２に示したような押圧力印加部材９を着脱自在に取り付けるようにする。
【００６４】
主要な内部構造に関しては図２〜図７に示したリンケージ手段８の構造を転用することができるので、詳細な説明は省略する。
【００６５】
特に、図２〜図７に示したリンケージ手段８において押圧力伝達部材１４に加えてシース１５の部分も可撓性部材で構成するようにすれば、押圧力伝達部材１４やシース１５の這い回しを展示台の内部空間の形状に応じて自由に調整することができるので、シャフト７，リンケージ手段８，押圧力印加部材９を１セットとして量産するような場合において、製造コストの低減化の面で有利である。
【００６６】
また、展示台として機能する指輪の飾り台やトルソーについては必ずしも新規に設計製造する必要はなく、例えば、既存する指輪の飾り台やトルソーに図２に示すようなＣ字状断面のマウントピース２０を接着してリンケージ手段８の先端部１３を取り付けるようにし、また、既存する指輪の飾り台やトルソーの背面に穴明けの追加工を施してリンケージ手段８の基部１１を取り付けるといったこともできる（図２に示されるような窪み１２は必須要件ではない）。
リンケージ手段８の構成要素のうち展示台の形状や寸法等に応じて変更が必要とされるのは押圧力伝達部材１４やシース１５の長さのみであるから、リンケージ手段８の量産は極めて容易であり、また、様々な形状や寸法の展示台、例えば、指輪の飾り台やトルソーが展示会場内に氾濫するような場合であっても、販売員は単一規格の押圧力印加部材９を所持すればよく、販売作業に混乱が生じる心配はない。
【００６７】
また、極めて小型の指輪の飾り台にリンケージ手段８を内蔵する場合、押圧力伝達部材１４やシース１５の屈曲が強くなり、シース１５と押圧力伝達部材１４との間の摺接力および摩擦抵抗で可撓性の押圧力伝達部材１４の突出縮退動作に不都合が生じることも考えられるが、そのような場合は、シース１５内を転動することが可能な径を有する多数の鋼球をシース１５内に投入し、これらの鋼球の集合体を押圧力伝達部材１４として利用するようにする。
つまり、最終的に押圧力伝達部材１４に必要とされる機能はシャフト７を押圧して押し出す機能のみである。シャフト７の縮退に関しては、シャフト７の基部に鍔部を形成してリターンスプリング１９の端部を押し当てるといったことで容易に実現できる。
また、回転子２５の前進動作を鋼球からなる押圧力伝達部材１４に伝達するためには、回転子２５の端面２７にシャフト部材を形成または植設し、このシャフト部材をシース１５の端部に突入させて押圧力伝達部材１４となる鋼球を押圧するといったことが可能であり、同時に、このような構成によってシース１５からの鋼球の脱落を防止することができる。
【００６８】
更に、展示会場の美観に或る程度の悪影響が生じることを覚悟するのであれば、環状体部分のない装身具にワイヤー等で商品管理用の環状体を接続し、この環状体を利用して展示装置に装身具を固定するといった使い方も可能である。
【図面の簡単な説明】
【００６９】
【図１】本考案の展示装置を指輪の飾り台に適用した場合の一実施形態について示した外観図である。
【図２】同実施形態の展示装置の内部構造の概略を示した側断面図である。
【図３】リンケージ手段の先端部を分解して示した構造図である。
【図４】リンケージ手段の基部を分解して示した構造図である。
【図５】ロック機構の主要部として機能する回転子の詳細を示した外観図である。
【図６】ロック機構を作動させるノック棒の詳細を示した外観図である。
【図７】回転子を内嵌するインサートの内周面形状を示した断面図である。
【図８】本考案の展示装置をトルソーに適用した場合の一実施形態について示した外観図である。
【符号の説明】
【００７０】
１  展示装置
２  展示台
３  天面
４  指輪（装身具）
５  環状体部分
６  開口部
７  シャフト（環状体係止部材）
８  リンケージ手段
９  押圧力印加部材（手動操作部）
１０  背面板
１１  基部
１２  窪み
１３  先端部
１４  可撓性の押圧力伝達部材
１５  シース
１６  口金
１７  小孔
１８  エンドピース
１９  リターンスプリング
２０  マウントピース
２１  周壁
２２  底面
２３  エンドピース
２４  インサート
２５  回転子（ロック機構）
２６  ノック棒
２７  端面
２８，２９  カム溝
３０  突条
３１，３２  モジュール
３３  突条
３４  端部
３５  拡径部
３６  フランジ部
３７  テーパ面
３８  トルソー
３９  ペンダント
４０  宝飾部
４１  チェーン
４２  開口部
４３  リング
【図１】
0003113115.tif 000003
【図２】
0003113115.tif 000004
【図３】
0003113115.tif 000005
【図４】
0003113115.tif 000006
【図５】
0003113115.tif 000007
【図６】
0003113115.tif 000008
【図７】
0003113115.tif 000009
【図８】
0003113115.tif 000010